(57)【要約】      （修正有）【課題】ユーザーが、バランスモードで出力される音声信号の音質と、アクティブコントロールグラウンド（ＡＣＧ）モードで出力される音声信号の音質との違いを判断し易くする。【解決手段】ＤＡＰ（デジタルオーディオプレーヤー）１は、増幅器８によりアナログオーディオデータを増幅し、増幅器９によりアナログオーディオデータの逆相データを増幅し、増幅したアナログオーディオデータと、増幅した逆相アナログオーディオデータと、を混合して出力するバランスモードと、増幅器８によりアナログオーディオデータを増幅し、増幅器９によりグラウンドを維持するＡＣＧモードと、を有する。ＣＰＵ２は、バランスモードで出力されるアナログオーディオデータのボリュームを、ＡＣＧモードで出力されるアナログオーディオデータのボリュームよりも小さくする。【選択図】図１
2017041685.tif 000002
【特許請求の範囲】
【請求項１】
第１増幅器と、第２増幅器と、制御部と、を備え、
前記第１増幅器により音声信号を増幅し、前記第２増幅器により音声信号の逆相信号を増幅し、増幅した音声信号と、増幅した逆相信号と、を混合して出力するバランスモードと、
前記第１増幅器により音声信号を増幅し、前記第２増幅器によりグラウンドを維持するアクティブコントロールグラウンドモードと、を有し、
前記制御部は、前記バランスモードで出力される音声信号の音量を、前記アクティブコントロールグラウンドモードで出力される音声信号の音量よりも小さくすることを特徴とする音楽再生装置。
【請求項２】
前記制御部は、前記バランスモードで出力される音声信号の音量を、前記アクティブコントロールグラウンドモードで出力される音声信号の音量と比べて、６ｄｂ減少させることを特徴とする請求項１に記載の音楽再生装置。
【請求項３】
前記制御部は、
前記バランスモード、又は、前記アクティブコントロールグラウンドモードの選択を受け付け、
一方のモードから他方のモードに切り替える場合、音量が自動的に調整されることを報知することを特徴とする請求項１又は２に記載の音楽再生装置。
【請求項４】
表示部をさらに備え、
前記制御部は、
一方のモードから他方のモードに切り替える場合、音量が自動的に調整される旨のメッセージを前記表示部に表示することにより、音量が自動的に調整されることを報知することを特徴とする請求項３に記載の音楽再生装置。
【請求項５】
前記制御部は、
前記バランスモードで出力される音声信号の音量を、前記アクティブコントロールグラウンドモードで出力される音声信号の音量よりも小さくする自動音量調整を行うか否かの設定を受け付け、
前記自動音量調整を行う設定を受け付けた場合、前記バランスモードで出力される音声信号の音量を、前記アクティブコントロールグラウンドモードで出力される音声信号の音量よりも小さくし、
前記自動音量調整を行わない設定を受け付けた場合、前記バランスモードと前記アクティブコントロールグラウンドモードとで出力される音声信号の音量を変更しないことを特徴とする請求項１〜４のいずれか１項に記載の音楽再生装置。
【発明の詳細な説明】
【技術分野】
【０００１】
本発明は、ヘッドホンに音声信号を出力する音楽再生装置に関する。
【背景技術】
【０００２】
ヘッドホンに音声信号を出力する音楽再生装置において、ヘッドホン出力には、アンバランス、バランスと呼ばれる方式がある（例えば、特許文献１参照。）。アンバランス方式には、直径３．５ｍｍの３極端子が用いられており、「ホット」、「コールド」の２種類で音声信号を伝送する。一方、バランス方式には、直径２．５ｍｍの４極端子が用いられており、「グラウンド」、「ホット」、「コールド」の３種類で信号を伝送する。「コールド」は、「ホット」の逆相である。外来ノイズが発生した場合、「ホット」、「コールド」双方に同じ位相のノイズが乗る。「コールド」の位相を反転し、「ホット」の信号とミックス（混合）することで、外来ノイズは打ち消しあい、音声信号の振幅は、倍になる。このため、バランス方式は、ノイズに強く、音質が良い。
【０００３】
図１１は、バランス方式において音声信号を増幅する増幅器等を示す図である。一方の増幅器には、正相信号が入力される。一方の増幅器は、正相信号を増幅する。他方の増幅器には、逆相信号が入力される。他方の増幅器は、逆相信号を増幅する。増幅された正相信号、逆相信号がミックスされる。以下、バランス方式を、バランスモードという。
【０００４】
図１２は、２つの増幅器を用いて音声信号を増幅する他の方式を示す図である。一方の増幅器には、音声信号が入力される。一方の増幅器は、音声信号を増幅する。他方の増幅器は、グラウンドに接続される。このため、他方の増幅器の出力は、０Ｖ（グラウンド）に維持される。この方式では、他方の増幅器により、グラウンドを安定させながら、増幅器に負担をかけずに、ノイズを低減することができる。以下、図１２に示す他の方式を、アクティブコントロールグラウンド（以下、「ＡＣＧ」という。）モードという。
【先行技術文献】
【特許文献】
【０００５】
【特許文献１】特開２０１３−００５２９１号公報
【発明の概要】
【発明が解決しようとする課題】
【０００６】
音楽再生装置において、バランスモードとＡＣＧモードとを切り替え可能とすることで、ユーザーは、好みのいずれかのモードを選択することができる。しかしながら、バランスモードで出力される音声信号の振幅は、ＡＣＧモードで出力される音声信号の振幅の倍となる。このため、バランスモードで出力される音声信号の音量も、ＡＣＧモードで出力される音声信号の音量の倍となる。音質は、音量に左右されるため、音量が異なっていると、ユーザーは、音質の違いが判断しにくい。
【０００７】
本発明の目的は、バランスモードとアクティブコントロールグラウンドモードとを有する音楽再生装置において、ユーザーが、バランスモードで出力される音声信号の音質と、アクティブコントロールグラウンドモードで出力される音声信号の音質と、の違いを判断し易くすることである。
【課題を解決するための手段】
【０００８】
第１の発明の音楽再生装置は、第１増幅器と、第２増幅器と、制御部と、を備え、前記第１増幅器により音声信号を増幅し、前記第２増幅器により音声信号の逆相信号を増幅し、増幅した音声信号と、増幅した逆相信号と、を混合して出力するバランスモードと、前記第１増幅器により音声信号を増幅し、前記第２増幅器によりグラウンドを維持するアクティブコントロールグラウンドモードと、を有し、前記制御部は、前記バランスモードで出力される音声信号の音量を、前記アクティブコントロールグラウンドモードで出力される音声信号の音量よりも小さくすることを特徴とする。
【０００９】
本発明では、制御部は、バランスモードで出力される音声信号の音量を、アクティブコントロールグラウンドモードで出力される音声信号の音量よりも小さくする。バランスモードで出力される音声信号の音量は、アクティブコントロールグラウンドモードで出力される音声信号の音量の倍であるが、バランスモードで出力される音声信号の音量は、アクティブコントロールグラウンドモードで出力される音声信号の音量よりも小さくされるため、ユーザーは、バランスモードで出力される音声信号の音質と、アクティブコントロールグラウンドモードで出力される音声信号の音質と、の違いを判断し易い。
【００１０】
第２の発明の音楽再生装置は、第１の発明の音楽再生装置において、前記制御部は、前記バランスモードで出力される音声信号の音量を、前記アクティブコントロールグラウンドモードで出力される音声信号の音量と比べて、６ｄｂ減少させることを特徴とする。
【００１１】
２倍の音量比は、６ｄｂの減衰量に相当する。このため、本発明では、制御部は、バランスモードで出力される音声信号の音量を、アクティブコントロールグラウンドモードで出力される音声信号の音量と比べて、６ｄｂ減少させる。従って、バランスモードで出力される音声信号の音量と、アクティブコントロールグラウンドモードで出力される音声信号の音量と、が均等となる。これにより、ユーザーは、バランスモードで出力される音声信号の音質と、アクティブコントロールグラウンドモードで出力される音声信号の音質と、の違いをさらに判断し易い。
【００１２】
第３の発明の音楽再生装置は、第１又は第２の発明の音楽再生装置において、前記制御部は、前記バランスモード、又は、前記アクティブコントロールグラウンドモードの選択を受け付け、一方のモードから他方のモードに切り替える場合、音量が自動的に調整されることを報知することを特徴とする。
【００１３】
本発明では、制御部は、一方のモードから他方のモードに切り替える場合、音量が自動的に調整されることを報知する。これにより、ユーザーは、音量が自動的に調整されることを理解することができる。
【００１４】
第４の発明の音楽再生装置は、第３の発明の音楽再生装置において、表示部をさらに備え、前記制御部は、一方のモードから他方のモードに切り替える場合、音量が自動的に調整される旨のメッセージを前記表示部に表示することにより、音量が自動的に調整されることを報知することを特徴とする。
【００１５】
本発明では、制御部は、一方のモードから他方のモードに切り替える場合、音量が自動的に調整される旨のメッセージを表示部に表示することにより、音量が自動的に調整されることを報知する。これにより、ユーザーは、音量が自動的に調整されることを理解することができる。
【００１６】
第５の発明の音楽再生装置は、第１〜第４の発明のいずれかの音楽再生装置において、前記制御部は、前記バランスモードで出力される音声信号の音量を、前記アクティブコントロールグラウンドモードで出力される音声信号の音量よりも小さくする自動音量調整を行うか否かの設定を受け付け、前記自動音量調整を行う設定を受け付けた場合、前記バランスモードで出力される音声信号の音量を、前記アクティブコントロールグラウンドモードで出力される音声信号の音量よりも小さくし、前記自動音量調整を行わない設定を受け付けた場合、前記バランスモードと前記アクティブコントロールグラウンドモードとで出力される音声信号の音量を変更しないことを特徴とする。
【００１７】
本発明では、制御部は、バランスモードで出力される音声信号の音量を、アクティブコントロールグラウンドモードで出力される音声信号の音量よりも小さくする自動音量調整を行うか否かの設定を受け付ける。これにより、ユーザーは、自動音量調整を行うか否かの選択をすることができる。
【発明の効果】
【００１８】
本発明によれば、ユーザーは、バランスモードで出力される音声信号の音質と、アクティブコントロールグラウンドモードで出力される音声信号の音質と、の違いを判断し易い。
【図面の簡単な説明】
【００１９】
【図１】本発明の実施形態に係るデジタルオーディオプレーヤーの構成を示すブロック図である。
【図２】デジタルオーディオプレーヤーにおけるボリューム調整プロセスを示す図である。
【図３】デジタルオーディオプレーヤーにおけるボリューム調整を説明するための図である。
【図４】デジタルオーディオプレーヤーにおけるボリューム調整を説明するための図である。
【図５】デジタルオーディオプレーヤーにおけるボリューム調整を説明するための図である。
【図６】デジタルオーディオプレーヤーにおけるボリューム調整を説明するための図である。
【図７】バランスモード、又は、ＡＣＧモードの選択を受け付けるための表示画面の一例を示す図である。
【図８】バランスモード、又は、ＡＣＧモードの選択を受け付けるための表示画面の一例を示す図である。
【図９】バランスモード、又は、ＡＣＧモードの選択を受け付けるための表示画面の一例を示す図である。
【図１０】バランスモード、又は、ＡＣＧモードの選択を受け付けるための表示画面の一例を示す図である。
【図１１】バランスモードを説明するための図である。
【図１２】アクティブコントロールグラウンドモードを説明するための図である。
【発明を実施するための形態】
【００２０】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、ヘッドホン１０１にアナログオーディオデータ（音声信号）を出力する。ヘッドホン１０１は、アナログオーディオデータに基づいて、音声を外部に出力する。図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅器８、９、無線モジュール１０、ＵＳＢインターフェース（以下、「ＵＳＢ  Ｉ／Ｆ」という。）１１を備える。
【００２１】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００２２】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２３】
ＤＳＰ（Digital Signal Processor）６は、デジタルオーディオデータに、イコライザー処理等の信号処理を行う。ＤＡＣ７は、デジタルオーディオデータをアナログオーディオデータにＤ／Ａ変換する。増幅器８、９は、ＤＡＣ７がＤ／Ａ変換したアナログオーディオデータを増幅し、ヘッドホン１０１に出力する。無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００２４】
ＤＡＰ１は、バランスモードと、アクティブコントロールグラウンド（以下、「ＡＣＧ」という。）モードと、を有する。なお、バランスモード及びＡＣＧモードは、図１１及び図１２で説明した従来技術と同様である。バランスモードの場合、増幅器８（第１増幅器）は、アナログオーディオデータ（音声信号）を増幅する。また、増幅器９（第２増幅器）は、アナログオーディオデータが反転した逆相アナログオーディオデータ（逆相信号）を増幅する。増幅されたアナログオーディオデータと、増幅された逆相アナログオーディオデータとは、混合して出力される。ＡＣＧモードの場合、増幅器８は、アナログオーディオデータを増幅する。増幅器９は、グラウンドを維持する。
【００２５】
図２は、ＤＡＰ１におけるボリューム（音量）調整プロセスを示す図である。ＤＡＰ１のボリュームステップは、０−１６０の１６０ステップである。図２おいて、横軸は、ステップ数を示す。縦軸は、ゲイン（ｄｂ）を示す。ステップ１６０では、０ｄｂである。１ステップ下がる毎の、ボリュームの減衰量は、０．５ｄｂである。ステップ１では、−７９．５ｄｂである。ステップ０では、−∞、すなわち、ミュート状態である。
【００２６】
ＣＰＵ２は、バランスモードで出力されるアナログオーディオデータのボリュームを、ＡＣＧモードで出力されるアナログオーディオデータのボリュームよりも小さくするオートボリューム（自動音量調整）を行うか否かの設定を受け付ける。ＣＰＵ２は、オートボリュームを行う設定を受け付けた場合、バランスモードで出力されるアナログオーディオデータのボリュームを、ＡＣＧモードで出力されるアナログオーディオデータのボリュームよりも小さくする。具体的には、ＣＰＵ２は、バランスモードで出力されるアナログオーディオデータのボリュームを、ＡＣＧモードで出力されるアナログオーディオデータのボリュームと比べて、６ｄｂ減少させる（−６ｄｂ）。
【００２７】
また、ＣＰＵ２は、バランスモード、又は、ＡＣＧモードの選択を受け付ける。ＣＰＵ２は、ＡＣＧモードからバランスモードへの切り替えを受け付けた場合、ボリュームを６ｄｂ減少させる。図３に示すように、ＡＣＧモードにおいて、ボリュームが−１５ｄｂ（ステップ１３０）であったとする。ＣＰＵ２は、ＡＣＧモードからバランスモードに切り替える場合、ボリュームを６ｄｂ減少させ、−２１ｄｂ（ステップ１１８）とする。また、ＣＰＵ２は、バランスモードからＡＣＧモードに切り替える場合、ボリュームを６ｄｂ上昇させ、−１５ｄｂ（ステップ１３０）とする。すなわち、ＣＰＵ２は、バランスモードに切り替えられる前のボリュームに戻す。
【００２８】
なお、図４に示すように、ＡＣＧモードにおいて、ボリュームが−７５ｄｂ（ステップ１０）であったとする。ＡＣＧモードからバランスモードに切り替えた場合に、ボリュームを６ｄｂ減少させると、−８０ｄｂを超える。このため、ＣＰＵ２は、ＡＣＧモードからバランスモードに切り替える場合、ボリュームを４．５ｄｂ減少させ、−７９．５ｄｂ（ステップ１）とする。また、ＣＰＵ２は、バランスモードからＡＣＧモードに切り替える場合、ボリュームを６ｄｂ上昇させ、−７３．５ｄｂ（ステップ１３）とする。
【００２９】
また、図５に示すように、ＡＣＧモードにおいて、ミュート（ステップ０）であったとする。この場合、ＣＰＵ２は、ＡＣＧモードからバランスモードに切り替える場合、ボリュームを変更せず、ミュートのままとする。また、ＣＰＵ２は、バランスモードからＡＣＧモードに切り替える場合、ボリュームを変更せず、ミュートのままとする。
【００３０】
また、図６に示すように、バランスモードにおいて、ボリュームが−５ｄｂ（ステップ１５０）であったとする。バランスモードからＡＣＧモードに切り替えた場合に、ボリュームを６ｄｂ上昇させると、０ｄｂを超える。このため、ＣＰＵ２は、バランスモードからＡＣＧモードに切り替える場合、ボリュームを５ｄｂ上昇させ、０ｄｂ（ステップ１６０）とする。また、ＣＰＵ２は、ＡＣＧモードからバランスモードに切り替える場合、ボリュームを６ｄｂ減少させ、−６ｄｂ（ステップ１４８）とする。
【００３１】
ＣＰＵ２は、オートボリュームを行わない設定を受け付けた場合、バランスモードとＡＣＧモードとで出力されるアナログオーディオデータのボリュームを変更しない。
【００３２】
図７は、バランスモード、又は、ＡＣＧモードの選択を受け付けるための表示画面の一例を示す図である。図７（ａ）では、バランスモードのラジオボタンがチェックされており、バランスモードであることが表示されている。また、オートボリュームは、オフの状態であることが表示されている。ユーザーは、ＡＣＧモードのラジオボタンを選択することで、ＡＣＧモードを選択することができる。ＣＰＵ２は、ＡＣＧモードのラジオボタンが選択されると、ＡＣＧモードの選択を受け付け、オートボリュームを行うか否かの設定を受け付けるための表示画面を表示する。ＣＰＵ２は、図７（ｂ）に示すように、「“Ｙｅｓ”を選択した場合、ボリュームは自動的に調整されます。」というメッセージと、「Ｙｅｓ」ボタンと、「Ｎｏ」ボタンと、を含む表示画面を表示部４に表示する。「Ｙｅｓ」ボタンが選択されると、ＣＰＵ２は、オートボリュームを行う設定を受け付ける。ＣＰＵ２は、図７（ｃ）に示すように、オートボリュームがオンである表示に変更する。また、ＣＰＵ２は、ＡＣＧモードのラジオボタンがチェックされた表示に変更する。
【００３３】
図８（ａ）では、ＡＣＧモードのラジオボタンがチェックされており、ＡＣＧモードであることが表示されている。また、オートボリュームは、オンの状態であることが表示されている。ユーザーは、バランスモードのラジオボタンを選択することで、バランスモードを選択することができる。ＣＰＵ２は、バランスモードのラジオボタンが選択されると、バランスモードの選択を受け付け、オートボリュームを行うか否かの設定を受け付けるための表示画面を表示する。ＣＰＵ２は、図８（ｂ）に示すように、「“Ｙｅｓ”を選択した場合、ボリュームは自動的に調整されます。」というメッセージと、「Ｙｅｓ」ボタンと、「Ｎｏ」ボタンと、を含む表示画面を表示する。「Ｎｏ」ボタンが選択されると、ＣＰＵ２は、オートボリュームを行わない設定を受け付ける。ＣＰＵ２は、図８（ｃ）に示すように、オートボリュームがオフである表示に変更する。また、ＣＰＵ２は、バランスモードのラジオボタンがチェックされた表示に変更する。
【００３４】
なお、ＤＡＰ１において、バランスモード、及び、ＡＣＧモードをオフとすることも可能である。図９（ａ）では、オフのラジオボタンがチェックされており、バランスモード、及び、ＡＣＧモードがオフであることが表示されている。また、オートボリュームは、オンの状態であることが表示されている。ユーザーは、バランスモードのラジオボタンを選択することで、バランスモードを選択することができる。ＣＰＵ２は、バランスモードのラジオボタンが選択されると、バランスモードの選択を受け付けるための表示画面を表示する。ＣＰＵ２は、図９（ｂ）に示すように、「バランスモードは、ボリュームが予想以上に大きくなる可能性があります。」というメッセージと、「キャンセル」ボタンと、「ＯＫ」ボタンと、を含む表示画面を表示する。「ＯＫ」ボタンが選択されると、ＣＰＵ２は、バランスモードの選択を受け付ける。ＣＰＵ２は、図８（ｃ）に示すように、バランスモードのラジオボタンがチェックされた表示に変更する。
【００３５】
図１０（ａ）では、ＡＣＧモードのラジオボタンがチェックされており、ＡＣＧモードであることが表示されている。また、オートボリュームは、オフであることが表示されている。ユーザーは、オフのラジオボタンを選択することで、バランスモード、及び、ＡＣＧモードのオフを選択することができる。ＣＰＵ２は、オフのラジオボタンが選択されると、バランスモード、及び、ＡＣＧモードのオフの選択を受け付ける。ＣＰＵ２は、図１０（ｂ）に示すように、オフのラジオボタンがチェックされた表示に変更する。
【００３６】
以上説明したように、本実施形態では、ＣＰＵ２は、バランスモードで出力されるアナログオーディオデータのボリュームを、ＡＣＧモードで出力されるアナログオーディオデータのボリュームよりも小さくする。バランスモードで出力されるアナログオーディオデータのボリュームは、ＡＣＧモードで出力されるアナログオーディオデータのボリュームの倍であるが、バランスモードで出力されるアナログオーディオデータのボリュームは、ＡＣＧモードで出力されるアナログオーディオデータのボリュームよりも小さくされるため、ユーザーは、バランスモードで出力されるアナログオーディオデータの音質と、ＡＣＧモードで出力されるアナログオーディオデータの音質と、の違いを判断し易い。
【００３７】
ここで、２倍のボリューム比は、６ｄｂの減衰量に相当する。このため、本実施形態では、ＣＰＵ２は、バランスモードで出力されるアナログオーディオデータのボリュームを、ＡＣＧモードで出力されるアナログオーディオデータのボリュームと比べて、６ｄｂ減少させる。従って、バランスモードで出力されるアナログオーディオデータのボリュームと、ＡＣＧモードで出力されるアナログオーディオデータのボリュームと、が均等となる。これにより、ユーザーは、バランスモードで出力されるアナログオーディオデータの音質と、ＡＣＧモードで出力されるアナログオーディオデータの音質と、の違いをさらに判断し易い。
【００３８】
また、本実施形態では、ＣＰＵ２は、一方のモードから他方のモードに切り替える場合、図７（ｂ）及び図８（ｂ）に示すように、ボリュームが自動的に調整される旨のメッセージを表示部４に表示することにより、ボリュームが自動的に調整されることを報知する。これにより、ユーザーは、ボリュームが自動的に調整されることを理解することができる。
【００３９】
また、本実施形態では、ＣＰＵ２は、バランスモードで出力されるアナログオーディオデータの音量を、ＡＣＧモードで出力されるアナログオーディオデータのボリュームよりも小さくするオートボリュームを行うか否かの設定を受け付ける。これにより、ユーザーは、オートボリュームを行うか否かの選択をすることができる。
【００４０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４１】
上述の実施形態においては、ＣＰＵ２は、一方のモードから他方のモードに切り替える場合、ボリュームが自動的に調整される旨のメッセージを表示部４に表示することにより、ボリュームが自動的に調整されることを報知する。これに限らず、ＣＰＵ２は、音声により、ボリュームが自動的に調整されることを報知するようになっていてもよい。
【００４２】
上述の実施形態においては、音楽再生装置として、ＤＡＰを例示した。これに限らず、スマートフォン、タブレットＰＣ、ＵＳＢ  ＤＡＣ等であってもよい。
【産業上の利用可能性】
【００４３】
本発明は、ヘッドホンに音声信号を出力する音楽再生装置に好適に採用され得る。
【符号の説明】
【００４４】
１  ＤＡＰ（音楽再生装置）
２  ＣＰＵ（制御部）
３  記憶部
４  表示部
５  操作部
６  ＤＳＰ
７  ＤＡＣ
８  増幅器（第１増幅器）
９  増幅器（第２増幅器）
１０１  ヘッドホン
【図１】
2017041685.tif 000003
【図２】
2017041685.tif 000004
【図３】
2017041685.tif 000005
【図４】
2017041685.tif 000006
【図５】
2017041685.tif 000007
【図６】
2017041685.tif 000008
【図１１】
2017041685.tif 000009
【図１２】
2017041685.tif 000010
【図７】
2017041685.tif 000011
【図８】
2017041685.tif 000012
【図９】
2017041685.tif 000013
【図１０】
2017041685.tif 000014